(57)【要約】【課題】本発明は、検索サーバに対して、入力された文字列に所定の文字列を付加した内容を検索クエリとして検索要求することで、健全なＷｅｂページへのアクセスを阻害することなく有害なＷｅｂページへのアクセスを回避可能な通信端末を提供することを目的とする。【解決手段】携帯電話機１は、検索サーバＰと通信可能な無線通信部２００と、検索クエリを構成する第１文字列を入力可能な操作部１０１と、第２文字列を記憶する第２文字列記憶部１２１と、モードを判定するモード判定部１０６と、モード判定部１０６により第１モードに設定されていると判定された場合、操作部１０１により入力された第１文字列に第２文字列記憶部１２１に記憶される第２文字列が付加された内容を検索クエリとして、無線通信部２００に検索サーバへの検索要求を出力させる検索要求部１０９と、を備える。【選択図】図４
2010056913.tif 000002
【特許請求の範囲】
【請求項１】
第１モード又は第２モードに設定可能なモード設定部と、
検索サーバと通信可能な通信部と、
検索クエリを構成する１又は複数の第１文字列を入力可能な入力部と、
１又は複数の第２文字列を記憶する記憶部と、
前記モード設定部により設定されたモードを判定するモード判定部と、
前記モード判定部により前記第１モードに設定されていると判定された場合、前記入力部により入力された１又は複数の第１文字列に前記記憶部に記憶される１又は複数の第２文字列が付加された内容を検索クエリとして、前記通信部に前記検索サーバへの検索要求を出力させる検索要求部と、を備える
通信端末。
【請求項２】
所定の検索カテゴリを選択可能な検索カテゴリ選択部と、を備え、
前記記憶部は、前記１又は複数の第２文字列を前記複数の検索カテゴリごとに分類して記憶し、
前記検索要求部は、
前記モード判定部により前記第１モードに設定されていると判定された場合、前記入力部により入力された前記１又は複数の第１文字列に前記検索カテゴリ選択部により選択された所定の検索カテゴリに分類される１又は複数の第２文字列が付加された内容を検索クエリとして、前記通信部に前記検索サーバへの検索要求を出力させる
請求項１に記載の通信端末。
【請求項３】
前記検索カテゴリ選択部によりいずれの検索カテゴリも選択されていない場合、
前記検索要求部は、
前記モード判定部により前記第１モードに設定されていると判定された場合には、前記通信部に前記検索サーバへの検索要求を出力させず、
前記モード判定部により前記第２モードに設定されていると判定された場合には、前記通信部に前記検索サーバへの検索要求を出力させる
請求項２に記載の通信端末。
【請求項４】
前記第１モードは、子供モードであり、
前記第２モードは、大人モードである
請求項１から３のいずれかに記載の通信端末。
【請求項５】
前記記憶部は、ユーザの年齢情報を記憶し、
前記モード設定部は、前記年齢情報に基づいて自動的にモードを設定する
請求項４に記載の通信端末。
【発明の詳細な説明】
【技術分野】
【０００１】
本発明は、携帯電話機等の通信端末に関する。
【背景技術】
【０００２】
従来、いわゆる有害サイト（Ｗｅｂページ）へのアクセスを制限する技術として、情報提供サーバから提供される情報に該提供する情報の有害性に応じた特定のコードを書き込むことで、情報受け手（例えば、携帯電話機１）側のフィルタリングソフトによりコードに応じた通信制限を行う技術が知られている。
しかし、この場合には、情報提供側の自主性に依存するという問題や、普及率を高くすることが困難であるという問題があった。
【０００３】
これに対し、有害な情報を含んだ有害サイト等の好ましくないＷｅｂサイト（Ｗｅｂページ）におけるＵＲＬ（Ｕｎｉｆｏｒｍ  Ｒｅｓｏｕｒｃｅ  Ｌｏｃａｔｏｒ）が登録されたデータベースを有し、好ましくないＵＲＬへのアクセスを拒否する機能を有する端末が提案されている（例えば、特許文献１参照）。
【０００４】
また、予め所定の有害キーワードが登録されたデータベースを有し、アクセスしようとするＷｅｂサイトの表題や本文に上記有害キーワードが含まれている場合には、該Ｗｅｂサイト（Ｗｅｂページ）へのアクセスを拒否する機能を有する携帯端末が提案されている（例えば、特許文献２参照）。
【特許文献１】特開２００６−４２１３号公報
【特許文献２】特開２００７−２９３３９７号公報
【発明の開示】
【発明が解決しようとする課題】
【０００５】
しかし、特許文献１の端末において、有害サイト（Ｗｅｂページ）におけるＵＲＬの変更や、日々新しく立ち上がるＷｅｂサイト（Ｗｅｂページ）に対応することは困難である。
また、特許文献２の携帯端末において、健全なＷｅｂサイト（Ｗｅｂページ）までも有害サイト（Ｗｅｂページ）としてアクセスを拒否してしまう場合がある。
【０００６】
本発明は、検索サーバに対して、入力された文字列に所定の文字列を付加した内容を検索クエリとして検索要求することで、健全なＷｅｂページへのアクセスを阻害することなく有害なＷｅｂページへのアクセスを回避可能な通信端末を提供することを目的とする。
【課題を解決するための手段】
【０００７】
本発明は、第１モード又は第２モードに設定可能なモード設定部と、検索サーバと通信可能な通信部と、検索クエリを構成する１又は複数の第１文字列を入力可能な入力部と、１又は複数の第２文字列を記憶する記憶部と、前記モード設定部により設定されたモードを判定するモード判定部と、前記モード判定部により前記第１モードに設定されていると判定された場合、前記入力部により入力された１又は複数の第１文字列に前記記憶部に記憶される１又は複数の第２文字列が付加された内容を検索クエリとして、前記通信部に前記検索サーバへの検索要求を出力させる検索要求部と、を備える通信端末に関する。
【０００８】
また、所定の検索カテゴリを選択可能な検索カテゴリ選択部と、を備え、前記記憶部は、前記１又は複数の第２文字列を前記複数の検索カテゴリごとに分類して記憶し、前記検索要求部は、前記モード判定部により前記第１モードに設定されていると判定された場合、前記入力部により入力された前記１又は複数の第１文字列に前記検索カテゴリ選択部により選択された所定の検索カテゴリに分類される１又は複数の第２文字列が付加された内容を検索クエリとして、前記通信部に前記検索サーバへの検索要求を出力させることが好ましい。
【０００９】
また、前記検索カテゴリ選択部によりいずれの検索カテゴリも選択されていない場合、前記検索要求部は、前記モード判定部により前記第１モードに設定されていると判定された場合には、前記通信部に前記検索サーバへの検索要求を出力させず、前記モード判定部により前記第２モードに設定されていると判定された場合には、前記通信部に前記検索サーバへの検索要求を出力させることが好ましい。
【００１０】
また、前記第１モードは、子供モードであり、前記第２モードは、大人モードであることが好ましい。
【００１１】
また、前記記憶部は、ユーザの年齢情報を記憶し、前記モード設定部は、前記年齢情報に基づいて自動的にモードを設定することが好ましい。
【発明の効果】
【００１２】
本発明によれば、検索サーバに対して、入力された文字列に所定の文字列を付加した内容を検索クエリとして検索要求することで、健全なＷｅｂページへのアクセスを阻害することなく有害なＷｅｂページへのアクセスを回避可能な通信端末を提供することができる。
【発明を実施するための最良の形態】
【００１３】
以下、図面を参照して本発明を実施するための最良の形態を説明する。
まず、図１により、通信端末としての携帯電話機１を含む検索システムＳの概要について説明する。
図１は、携帯電話機１を含む検索システムＳの概要を説明する図である。
図１に示すように、検索システムＳは、検索サーバＰと、情報提供サーバＱと、通信網Ｎと、通信網Ｎを構成する基地局Ｋと、携帯電話機１と、を含んで構成される。
【００１４】
検索サーバＰは、所定の検索エンジンを有し、又は、所定の検索エンジンを構成する。検索サーバＰは、通信網Ｎを介して携帯電話機１と通信可能に接続される。検索サーバＰは、通信網Ｎを介して携帯電話機１から所定の検索クエリ（検索キーワード、検索式）を受信すると共に、受信した検索クエリに基づいて検索した検索結果情報を通信網Ｎを介して携帯電話機１に送信する。
【００１５】
情報提供サーバＱは、通信網Ｎを介して携帯電話機１に情報を提供する。具体的には、情報提供サーバＱは、携帯電話機１からの取得要求に応じて、通信網Ｎを介して携帯電話機１に所定のＷｅｂサイトやＷｅｂページの情報を提供する。
通信網Ｎは、図１における基地局Ｋを含む複数の基地局Ｋ（不図示）を有して構成される。
【００１６】
携帯電話機１は、通信網Ｎを介して検索サーバＰや情報提供サーバＱにアクセス可能に構成される。具体的には、携帯電話機１は、通信網Ｎを介して検索サーバＰに所定の検索クエリを送信可能であると共に、検索サーバＰからの検索結果情報を受信可能に構成される。また、携帯電話機１は、検索サーバＰから受信した検索結果情報に基づいて、所定の情報提供サーバＱにアクセスすると共に、所定のＷｅｂページにおける情報等を受信可能に構成される。
【００１７】
また、携帯電話機１は、第１モードとしての子供モードと、第２モードとしての大人モード（通常モード）を選択可能に構成される。子供モードが選択されている場合、携帯電話機１は、所定の機能が制限されると共に、入力された文字列（第１文字列）を検索クエリとするのではなく、入力された文字列に所定の文字列（第２文字列）を追加した内容を検索クエリとして、検索サーバＰに送信するよう構成される。携帯電話機１における構成については、以下に詳述する。
【００１８】
次いで、図２により、通信端末としての携帯電話機１における基本構造を説明する。図２は、携帯電話機１を開いた状態における外観斜視図を示す。
【００１９】
図２に示すように、携帯電話機１は、筐体としての操作部側筐体２と、表示部側筐体３と、を備える。操作部側筐体２と表示部側筐体３とは、ヒンジ機構を備える連結部４を介して開閉可能に連結される。具体的には、操作部側筐体２の上端部と表示部側筐体３の下端部とは、連結部４を介して連結される。これにより、携帯電話機１は、ヒンジ機構を介して連結された操作部側筐体２と表示部側筐体３とを相対的に動かすことが可能に構成される。つまり、携帯電話機１は、操作部側筐体２と表示部側筐体３とが開いた状態（開状態）と、操作部側筐体２と表示部側筐体３とが折り畳まれた状態（閉状態）とにすることができる。ここで、閉状態とは、両筐体が互いに重なるように配置された状態であり、開状態とは、両筐体が互いに重ならないように配置された状態をいう。
【００２０】
操作部側筐体２は、外面がフロントケース２ａとリアケース２ｂとにより構成される。操作部側筐体２は、フロントケース２ａ側において、入力手段としての操作キー群１１と、携帯電話機１の使用者が通話時に発した音声が入力されるマイク１２とがそれぞれ露出するように構成される。
【００２１】
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う操作部材としての決定操作キー１５とにより構成される。操作キー群１１を構成する各キーそれぞれには、操作部側筐体２と表示部側筐体３との開閉状態や各種モードや起動されているアプリケーション等の種類に応じて所定の機能が割り当てられる（キー・アサイン）。そして、使用者が各キーを押圧することにより、各キーに割り当てられている機能に応じた動作が実行される。
【００２２】
マイク１２は、操作部側筐体２の長手方向における連結部４側と反対の外端部側に配置される。つまり、マイク１２は、携帯電話機１が開状態において一方の外端部側に配置される。
【００２３】
操作部側筐体２における一方側の側面には、外部機器（例えば、ホスト装置）と通信を行うためのインターフェース（図示せず）が配置される。操作部側筐体２の他方側の側面には、所定の機能が割り当てられているサイドキーと、外部メモリの挿入及び取り出しが行われるインターフェース（図示せず）とが配置される。インターフェースは、キャップにより覆われている。各インターフェースは、不使用時にはキャップにより覆われる。
【００２４】
表示部側筐体３は、外面がフロントケース３ａと、リアケース３ｄとにより構成される。表示部側筐体３におけるフロントケース３ｂには、各種情報を表示するための表示部２１と、通話の相手側の音声を出力するレシーバとしてのスピーカ２２と、が露出するように配置される。ここで、表示部２１は、液晶パネルと、この液晶パネルを駆動する駆動回路と、この液晶パネルの背面側から光を照射するバックライト等の光源部とから構成される。
【００２５】
続けて、図３により、携帯電話機１の回路構成について説明する。
図３は、携帯電話機１における回路構成を説明するブロック図である。
図３に示すように、携帯電話機１は、操作部側筐体２に配置される無線通信部２００と、入力部としての操作部１０１と、マイク１２と、ＬＣＤ制御部４２と、音声処理部４３と、メモリ４４と、ＣＰＵ４５と、電源部４６と、制御ＩＣ４７と、表示部側筐体３に配置される表示部２１と、スピーカ２２と、ドライバＩＣ２５とを備える。
【００２６】
無線通信部２００は、所定の使用周波数帯により外部装置と通信を行うアンテナ部９０と、変調処理又は復調処理等の信号処理を行う通信処理部２０１と、を備える。
【００２７】
アンテナ部９０は、所定の使用周波数帯（例えば、８００ＭＨｚ）で基地局Ｋと通信を行う。アンテナ部９０は、所定の使用周波数帯で基地局Ｋを含む通信網Ｎを介して検索サーバＰや情報提供サーバＱと通信を行う。詳細には、アンテナ部９０は、変調処理された検索クエリの情報を含む信号を通信網Ｎを介して検索サーバＰに送信すると共に、検索結果の情報を含む信号を受信する。また、アンテナ部９０は、変調処理された受信要求の情報を含む信号を通信網Ｎを介して情報提供サーバＱに送信すると共に、提供されたＷｅｂページの情報を含む信号を受信する。なお、本実施形態では、所定の使用周波数帯として、８００ＭＨｚとしたが、他の周波数帯であってもよい。また、アンテナ部９０は、所定の使用周波数帯（第１の使用周波数帯）のほかに、第２の使用周波数帯（例えば、２ＧＨｚ）に対応できる、いわゆるデュアルバンド対応型による構成であってもよいし、更に、第３の使用周波数帯にも対応できる複数バンド対応型により構成されていてもよい。
【００２８】
通信処理部２０１は、所定の機能部から供給された信号を変調処理しアンテナ部９０を介して基地局Ｋに送信すると共に、アンテナ部９０により受信された信号を復調処理し所定の機能部に供給する。詳細には、通信処理部２０１は、ＣＰＵ４５等から供給された検索クエリの情報を含む信号を変調処理しアンテナ部９０を介して基地局Ｋに送信すると共に、アンテナ部９０により受信された検索サーバＰからの検索結果情報を含む信号を復調処理しＣＰＵ４５等に供給する。また、通信処理部２０１は、ＣＰＵ４５等から供給された受信要求の情報を含む信号を変調処理しアンテナ部９０を介して基地局Ｋに送信すると共に、アンテナ部９０により受信された情報提供サーバＱからのＷｅｂページの情報を含む信号を復調処理しＣＰＵ４５等に供給する。
【００２９】
操作部１０１は、操作キー群１１を含んで構成される。操作部１０１は、検索クエリを構成する第１文字列を入力可能に構成される。ここで、検索クエリを構成する文字列は、１又は複数の記号、数字、英字、ひらがな、カタカナ、漢字や外国語を構成する文字等により構成される。また、操作部１０１は、検索クエリを構成する文字列だけでなく、検索条件に関する記号（ａｎｄやｏｒ）を入力可能に構成される。
【００３０】
ここで、本実施形態においては、間隔を空けて複数の文字列が列記された検索クエリは、全ての文字列を含む情報の検索を要求するための検索クエリである。また、複数の第１文字列にメモリ４４に記憶された第２文字列が付加された検索クエリは、複数の第１文字列と第２文字列を含む情報の検索を要求するための検索クエリである。ただし、第２文字列が複数ある場合、複数の第２文字列における条件（ａｎｄ、ｏｒ）は、適宜設定することができる（例えば、図５参照）。
【００３１】
ＬＣＤ制御部４２は、ＣＰＵ４５の制御にしたがって、入力された画像データに対して所定の画像処理を行うと共に、画像処理された画像データをドライバＩＣ２５に出力する。ドライバＩＣ２５は、ＬＣＤ制御部４２から入力された画像データをフレームメモリに蓄えると共に、該フレームメモリに蓄えられた画像データを所定のタイミングで表示部２１に出力する。
【００３２】
表示部２１は、ドライバＩＣ２５から入力されたデータに基づいて、所定の文字や画像を表示する。表示部２１は、検索サーバＰからの検索結果情報を所定の形式で表示する。また、表示部２１は、情報提供サーバＱからのＷｅｂページ情報を所定の形式で表示する。また、表示部２１は、所定の検索クエリを入力する入力ボックス４０１や、所定の検索カテゴリを選択する検索カテゴリ選択ボックス４０２を表示可能に構成される（図６参照）。
【００３３】
メモリ４４は、所定のデータを記憶する。具体的には、メモリ４４は、各種機能を動作させるアプリケーションプログラムや、子供モードに設定された場合に検索クエリの一部として付加される第２文字列を記憶する第２文字列記憶部１２１や、ユーザの年齢情報を含むプロフィール情報を記憶するプロフィール情報記憶部１２２を有する（図４参照）。メモリ４４については、後に詳述する。
【００３４】
ＣＰＵ４５は、携帯電話機１の全体を制御する。ＣＰＵ４５は、特に、無線通信部２００と、ＬＣＤ制御部４２と、音声処理部４３に対して所定の制御を行う。また、ＣＰＵ４５は、後述する機能部としてのモード設定部１０５と、モード判定部１０６と、検索カテゴリ選択部１０７と、検索クエリ生成部１０８と、検索要求部１０９と、を有する。
【００３５】
音声処理部４３は、ＣＰＵ４５の制御にしたがって、通信処理部２０１から供給された信号に対して所定の音声処理を行うと共に、音声処理された信号をスピーカ２２に出力する。スピーカ２２は、音声処理部４３から供給された信号に基づいて外部に放音（出力）する。また、音声処理部４３は、ＣＰＵ４５の制御にしたがって、マイク１２から入力された信号に対して所定の処理をすると共に、処理された信号を通信処理部２０１に出力する。通信処理部２０１は、音声処理部４３から入力された信号に所定の処理を行うと共に、処理がされた信号をアンテナ部９０に出力する。
【００３６】
電源部４６は、バッテリ８０を有して構成される。バッテリ８０は、所定容量を有するリチウムイオン電池である。制御ＩＣ４７は、電源部４６から供給される電源電圧を所定の電源電圧に変換し、変換後の電源電圧を携帯電話機１における各部（例えば、ＣＰＵ４５等）に供給する。
【００３７】
続けて、図４から図６により、携帯電話機１における機能部の構成について説明する。
図４は、携帯電話機１における機能部の構成を説明するブロック図である。図５は、第２文字列記憶部１２１に記憶される検索カテゴリ分類テーブル４００である。図６は、検索画面が表示された場合における表示部２１を示す図である。
【００３８】
図４に示すように、携帯電話機１は、無線通信部２００と、操作部１０１と、ＣＰＵ４５に含まれる機能部としてのモード設定部１０５と、モード判定部１０６と、検索カテゴリ選択部１０７と、検索クエリ生成部１０８と、検索要求部１０９と、メモリ４４に含まれる機能部としての第２文字列記憶部１２１と、プロフィール情報記憶部１２２と、表示部２１と、を備える。
【００３９】
メモリ４４は、第２文字列記憶部１２１と、プロフィール情報記憶部１２２とを有する。
第２文字列記憶部１２１は、子供モードに設定された場合に検索クエリの一部として付加される第２文字列を記憶する。詳細には、第２文字列記憶部１２１は、後述するモード判定部１０６により子供モードが設定されていると判定された場合に第１文字列に付加される第２文字列を１つ以上記憶する。更には、第２文字列記憶部１２１は、第１文字列に付加される複数の第２文字列を複数の検索カテゴリごとに分類して記憶する。
【００４０】
具体的には、図５に示すように、第２文字列記憶部１２１は、検索カテゴリ分類テーブル４００を有する。検索カテゴリ分類テーブル４００は、検索カテゴリの内容を示す検索カテゴリ名欄４１０と、検索カテゴリに関連するキーワード１欄４２０と、キーワード２欄４４０と、キーワード３欄４６０と、各キーワード同士の検索条件を示す条件１欄４３０と、条件２欄４５０と、条件３欄４７０と、を含む。
【００４１】
ここで、キーワード１欄４２０と、キーワード２欄４４０と、キーワード３欄４６０とは、子供モードにおいて第１文字列に付加される第２文字列である。条件１欄４３０と、条件２欄４５０と、条件３欄４７０とは、上記の各キーワード（第２文字列）同士の検索条件である。ここで、「ａｎｄ」の及ぶ範囲が不明確である場合、他の記号等を用いて範囲を明確にすることができる。
後述する検索クエリ生成部１０８は、検索カテゴリ分類テーブル４００を参照して、子供モードにおける検索クエリを生成する。
【００４２】
検索カテゴリ分類テーブル４００は、ユーザにより入力された第１文字列を検索クエリとして検索した場合における検索結果を所定のカテゴリ（検索目的や検索の方向性）に誘導するためのキーワード（第２文字列）及び検索条件を含む。
【００４３】
また、検索カテゴリ分類テーブル４００における検索カテゴリやキーワードを追加・変更・削除可能としてもよい。これにより、ユーザの年齢等に応じた検索カテゴリの設定や検索結果の誘導をすることができる。また、これにより、健全なＷｅｂサイトへのより精度のよい誘導が可能となる。
【００４４】
ここで、検索カテゴリ分類テーブル４００における検索カテゴリやキーワードを追加・変更・削除する場合、パスワードの入力を要求するように構成してもよい。これにより、ユーザが勝手に検索カテゴリやキーワードの内容を追加・変更・削除できないようにすることができる。例えば、ユーザである子供が管理者である親のパスワード入力という承認を得ることなく勝手に検索カテゴリやキーワードを追加・変更・削除できないように構成することができる。
【００４５】
プロフィール情報記憶部１２２は、ユーザの年齢情報を含むプロフィール情報を記憶する。プロフィール情報記憶部１２２に記憶される年齢情報は、後述するモード設定部１０５を自動設定状態にした場合に参照される。
【００４６】
モード設定部１０５は、携帯電話機１におけるモードを、第１モードとしての子供モード、又は、第２モードとしての大人モード（通常モード）に設定することができる。
モード設定部１０５は、子供モード又は大人モードに設定することができればよく、２つのモードから一方を選択する手順を必要とするものではない。例えば、モード設定部１０５は、一方のモードが設定された状態において、他方のモードに切り替える手段を有すればよい。本実施形態においては、初期設定が大人モード（通常モード）であり、モード設定部１０５は、子供モードへ切り替える手段を提供する。
【００４７】
モード設定部１０５は、自動設定状態にすることができる。自動設定状態である場合、モード設定部１０５は、プロフィール情報記憶部１２２に記憶される年齢情報に基づいて、自動的にモードを設定する（切り替える）ことができる。
【００４８】
モード設定部１０５が手動設定状態である場合、モードを切り替えるためには、所定のパスワードの入力が必要となるようにしてもよい。また、モード設定部１０５が自動設定状態となる場合を想定し、プロフィール情報を変更するためには、所定のパスワードの入力が必要となるようにしてもよい。これにより、管理者（モード設定者）の意に反するモード変更を抑制できる。
【００４９】
モード判定部１０６は、モード設定部１０５により設定されたモードが子供モードであるかを判定する。モード判定部１０６により子供モードに設定されていると判定された場合、所定の機能が制限されると共に、操作部１０１により入力された第１文字列に第２文字列が付加された内容が検索クエリとして検索サーバＰ（図１参照）に送信される。
【００５０】
検索カテゴリ選択部１０７は、複数の検索カテゴリから所定の検索カテゴリを選択可能に構成される。検索カテゴリとは、例えば、検索目的や検索結果の方向性を規定するものである。検索カテゴリとして、例えば、図５に示すように、学習、見学、体験学習、本、学校、歴史、人物を例示できる。また、図５に示すように、複数の検索カテゴリそれぞれには、複数のキーワード（第２文字列）が対応付けられている。
【００５１】
ここで、モード判定部１０６により子供モードに設定されていると判定された場合に、操作部１０１により入力された第１文字列に付加される第２文字列は、選択された検索カテゴリに対応するキーワードである。例えば、検索カテゴリ選択部１０７により図５に示す検索カテゴリ「学習」が選択された場合、第１文字列には、「学習」に対応付けられるキーワード「学習」「勉強」等の第２文字列が付加される。
【００５２】
また、検索カテゴリ選択部１０７は、複数の検索カテゴリを選択可能に構成される（図６参照）。この場合、第１文字列には、各検索カテゴリそれぞれに対応付けられているキーワードが付加される。
【００５３】
また、検索カテゴリ選択部１０７は、子供モードの場合にのみ検索カテゴリを選択可能となるよう構成することができる。具体的には、子供モードの場合には、図６に示す検索カテゴリ選択ボックス４０２が表示されるよう構成することができる。言い換えると大人モード（通常モード）の場合、検索カテゴリ選択部１０７は、検索カテゴリの選択ができないよう構成することができる。つまり、大人モード（通常モード）の場合には、図６に示す検索カテゴリ選択ボックス４０２が表示されないように構成することができる。
【００５４】
また、検索カテゴリ選択部１０７によりいずれの検索カテゴリも選択されていない場合、後述する検索要求部１０９による検索要求ができないように構成することができる。ここで、子供モードに設定された場合、初期設定として、検索カテゴリ選択部１０７により所定の検索カテゴリが選択されるように構成してもよい。
【００５５】
検索クエリ生成部１０８は、無線通信部２００を介して検索サーバ（図１参照）に送信する検索クエリを生成する。具体的には、モード判定部１０６により子供モードであると判定された場合、検索クエリ生成部１０８は、操作部１０１により入力された第１文字列に第２文字列記憶部１２１に記憶される複数の第２文字列を付加した内容の検索クエリを生成する。また、モード判定部１０６により大人モード（通常モード）であると判定された場合、検索クエリ生成部１０８は、操作部１０１により入力された第１文字列を内容とする検索クエリを生成する。
【００５６】
検索クエリ生成部１０８は、子供モードにおいて、例えば、検索カテゴリとして「学習」が選択されている場合、第１文字列に対して「ａｎｄ（学習ｏｒ勉強ｏｒ・・・）」という内容を付加して検索クエリを生成する。また、検索クエリ生成部１０８は、子供モードにおいて、例えば、検索カテゴリとして「人物」が選択されている場合、第１文字列に対して「ａｎｄ（人物ｏｒ（人ａｎｄ者）・・・）」という内容を付加して検索クエリを生成する。
【００５７】
また、図６に示すように、検索カテゴリ選択部１０７により「学習」「本」「歴史」の３つの検索カテゴリが選択された場合、検索クエリ生成部１０８は、子供モードにおいて、第１文字列ａｎｄ（（学習ｏｒ勉強ｏｒ・・・）ｏｒ（本ｏｒ教科書ｏｒ図鑑ｏｒ・・・）ｏｒ（歴史ｏｒ創始者ｏｒ・・・））という内容の検索クエリを生成する。
【００５８】
検索要求部１０９は、無線通信部２００に対し、検索クエリ生成部１０８により生成された検索クエリを含む検索要求を検索サーバＰに送信（出力）させる。検索要求部１０９は、検索カテゴリ選択部１０７によりいずいれの検索カテゴリも選択されていない場合、モード判定部１０６により判定されたモードに応じて、検索サーバＰへ検索要求をするか否かを決定する。具体的には、検索カテゴリ選択部１０７によりいずいれの検索カテゴリも選択されていない場合、検索要求部１０９は、モード判定部１０６により子供モードであると判定されると無線通信部２００に検索サーバＰへの検索要求を出力させず、モード判定部１０６により大人モード（通常モード）であると判定されると無線通信部２００に検索サーバＰへの検索要求を出力させる。
【００５９】
表示部２１は、検索画面や、検索サーバＰからの検索結果や、情報提供サーバＱから提供されたＷｅｂページを表示可能に構成される。
例えば、表示部２１は、図６に示すように、入力ボックス４０１と、検索カテゴリ選択ボックス４０２とが表示された検索画面を表示可能に構成される。入力ボックス４０１は、操作部１０１により入力された第１文字列を表示する。また、検索カテゴリ選択ボックス４０２は、チェックボックス４０５と、検索カテゴリの名称が表示される。検索カテゴリ選択ボックス４０２に表示される検索カテゴリの名称は、図５における検索カテゴリ名欄４１０に記載された名称と同様である。
【００６０】
操作部１０１は、検索クエリを構成する第１文字列を入力可能に構成される。また、操作部１０１は、検索カテゴリを選択可能に構成される。
ユーザは、表示部２１における入力ボックス４０１（図６参照）を見ながら操作部１０１により第１文字列を入力することができる。
また、ユーザは、表示部２１における検索カテゴリ選択ボックス４０２（図６参照）を見ながら操作部１０１により検索カテゴリを選択することができる。
【００６１】
続けて、図７により、携帯電話機１の動作について説明する。
図７は、携帯電話機１の動作を説明するフロー図である。
図７に示すように、まず、ユーザは、操作部１０１における所定の操作により、表示部２１に検索画面を表示させる（ＳＴ１）。
表示部２１に検索画面が表示される際、モード判定部１０６は、モード設定部１０５により設定されたモードを判定する（ＳＴ２）。
モード判定部１０６により子供モードに設定されていると判定された場合（ＳＴ３、ＹＥＳ）、表示部２１には、図６に示す入力ボックス４０１と検索カテゴリ選択ボックス４０２とを含む検索画面が表示される。
【００６２】
ユーザは、不図示のカーソルを入力ボックス４０１に合わせて文字入力が可能な状態にすると共に、入力ボックスを見ながら検索クエリを構成する第１文字列を入力する（ＳＴ４）。
【００６３】
続けて、ユーザは、不図示のカーソルを検索カテゴリ選択ボックス４０２における所定のチェックボックス４０５に合わせて操作部１０１による所定の操作により該チェックボックスをチェックして（レ印を付けて）所定の検索カテゴリを選択する（ＳＴ５）。
【００６４】
続けて、ユーザは、検索を要求するため、不図示のカーソルを検索ボタン部４０３に合わせて操作部１０１により所定の操作（選択を確定させる操作）を行う（ＳＴ６）。
【００６５】
これにより、検索クエリ生成部１０８は、操作部１０１により入力された第１文字列に第２文字列記憶部１２１に記憶された第２文字列を付加した内容の検索クエリを生成する（ＳＴ７）。
【００６６】
そして、検索要求部１０９は、検索クエリ生成部１０８で生成された検索クエリを検索サーバＰに送信すると共に、送信した検索クエリによる検索を要求する（ＳＴ１１）。
【００６７】
検索サーバＰは、検索クエリに基づいた検索を行うと共に、検索結果情報を携帯電話機１に送信する。携帯電話機１は、通信部２００を介して、検索結果情報を受信する（ＳＴ１２）。ここで、検索サーバＰに送信された検索クエリには第２文字列が付加されており、受信する検索結果は、所定の検索カテゴリに誘導された内容となっている。つまり、検索結果は、検索カテゴリに誘導され、有害Ｗｅｂページ（サイト）が少ない内容になっている。
【００６８】
ユーザは、表示部２１に検索結果を表示させる（ＳＴ１３）。
また、ユーザは、検索結果に基づいて、通信部２００を介して情報提供サーバＱに所定のＷｅｂページ情報を要求する。情報提供サーバＱは、要求されたＷｅｂページ情報を携帯電話機１に送信する。携帯電話機１は、通信部２００を介して、Ｗｅｂページ情報を受信（取得）する（ＳＴ１４）。
そして、ユーザは、表示部２１に取得した所定のＷｅｂページを表示させる（ＳＴ１５）。
【００６９】
また、モード判定部１０６により大人モード（通常モード）であると判定された場合（ＳＴ３、ＮＯ）、表示部２１には、入力ボックス４０１を含み検索カテゴリ選択ボックス４０２を含まない検索画面が表示される。
【００７０】
ユーザは、不図示のカーソルを入力ボックス４０１に合わせて文字入力が可能な状態にすると共に、入力ボックスを見ながら検索クエリを構成する第１文字列を入力する（ＳＴ８）。
【００７１】
続けて、ユーザは、検索を要求するため、不図示のカーソルを検索ボタン部４０３に合わせて操作部１０１により所定の操作（選択を確定させる操作）を行う（ＳＴ９）。
【００７２】
これにより、検索クエリ生成部１０８は、操作部１０１により入力された第１文字列の内容の検索クエリを生成する（ＳＴ１０）。つまり、モード判定部１０６により大人モード（通常モード）であると判定された場合、検索クエリは、ユーザにより入力された内容となる。
【００７３】
本実施形態によれば、検索サーバＰに対して、入力された第１文字列に所定の第２文字列を付加した内容を検索クエリとして検索要求することで、健全なＷｅｂサイトへのアクセスを阻害することなく有害なＷｅｂサイトへのアクセスを回避可能な携帯電話機１を提供することができる。
【００７４】
また、本実施形態によれば、ユーザにより入力された複数のキーワード（第１文字列）における所定のキーワードを除外した検索クエリにより検索を行うのではなく、所定のキーワード（第２文字列）を付加した内容の検索クエリにより検索を行う。これにより、ユーザの意向に沿った検索結果を得ることができると共に、含まれる有害サイトの件数が少ない検索結果を得ることができる。
【００７５】
また、本実施形態によれば、所定の検索カテゴリ（検索目的）ごとに対応したキーワード（第２文字列）を有するので、精度よく検索結果を誘導することができる。
【００７６】
また、本実施形態によれば、子供モードにおいて、所定の検索カテゴリが選択されていない場合には検索サーバＰに対し検索要求が送信されないように構成される。これにより、子供モードにおいて、大人モード（通常モード）用の検索がなさることを抑制できる。
【００７７】
本実施形態によれば、検索カテゴリや、第２文字列記憶部１２１に記憶される第２文字列を追加・変更・削除する場合には、パスワードの入力を要求するよう構成される。これにより、例えば、利用者である子供が管理者である親に無断で第２文字列を追加・変更・削除することを抑制できる。
【００７８】
以上、好適な実施形態について説明したが、本発明は上述した実施形態に限定されることなく種々の形態で実施することができる。例えば、本実施形態において、通信端末として携帯電話機１について説明しているが、これに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００７９】
また、本実施形態において、連結部４により折り畳み可能な携帯電話機１の説明をしているが、このような折り畳み式ではなく、操作部側筐体２と表示部側筐体３との重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（ターン）式や、操作部側筐体２と表示部側筐体３とが一つの筐体に配置され連結部を有さない型式（ストレートタイプ）でもよい。また、携帯電話機１は、開閉及び回転可能ないわゆる２軸ヒンジタイプであってもよい。
【００８０】
また、検索サーバＰは、必要に応じてＷｅｂサーバ、ＤＢサーバ、アプリケーションサーバを含んで構成してよく、１台のサーバで構成しても、それぞれ別のサーバで構成してもよい。
【００８１】
また、本実施形態において、携帯電話機１は、子供モード（第１モード）と大人モード（第２モード、通常モード）の２つのモードを有するが、これに限定されず、３つ以上のモードを有していてもよい。
【００８２】
また、本実施形態において、第１モードとして子供モードの説明をしているが、これに限定されず、第１モードとしては、使用者モード（第２モードは管理者モード）であってもよい。また、同様に、第１モードとして、社員モード（第２モードは会社モード）であってもよい。
【図面の簡単な説明】
【００８３】
【図１】携帯電話機１を含む検索システムＳの概要を説明する図である。
【図２】携帯電話機１を開いた状態における外観斜視図を示す。
【図３】携帯電話機１における回路構成を説明するブロック図である。
【図４】携帯電話機１における機能部の構成を説明するブロック図である。
【図５】第２文字列記憶部１２１に記憶される検索カテゴリ分類テーブル４００である。
【図６】検索画面が表示された場合における表示部２１を示す図である。
【図７】携帯電話機１の動作を説明するフロー図である。
【符号の説明】
【００８４】
１          携帯電話機
２          操作部側筐体
３          表示部側筐体
１１        操作キー群
４４        メモリ
４５        ＣＰＵ
１０１      操作部（入力部）
１０５      モード設定部
１０６      モード判定部
１０９      検索要求部
１２１      第２文字列記憶部（記憶部）
２００      無線通信部
Ｎ          通信網
【図１】
2010056913.tif 000003
【図２】
2010056913.tif 000004
【図３】
2010056913.tif 000005
【図４】
2010056913.tif 000006
【図５】
2010056913.tif 000007
【図６】
2010056913.tif 000008
【図７】
2010056913.tif 000009